(57)【特許請求の範囲】
【請求項１】
汚水処理槽の水面位置を鉛直面内で循環移動するようにエンドレス状の索条に取り付けたスカム掻寄板を、駆動装置により鉛直面内で略矩形運動するようにした下端に汚泥掻寄装置を支持した連結ロッドに取り付けたストライカにより、一方向に循環駆動することにより、汚水処理槽の水面に浮遊するスカムを一方向に掻き寄せるようにしたスカム掻寄装置において、スカム排出用トラフに傾斜した案内板を連設し、スカム掻寄板を案内板に沿って移動させることにより、スカムを案内板上で汚水と分離させながらスカム排出用トラフに向けて掻き上げるようにしたことを特徴とするスカム掻寄装置。
【請求項２】
駆動装置を、ピンラックを備え、長円形に形成したガイドレールと、ピンラックに噛合し、ガイドレールに沿って周回移動するピンホイルと、該ピンホイルを駆動するモータとより構成したことを特徴とする請求項１記載のスカム掻寄装置。
【発明の詳細な説明】
【０００１】
【発明の属する技術分野】
本発明は、スカム掻寄装置に関し、特に、汚泥掻寄装置の駆動装置を用いてスカム掻寄板を駆動し、確実にスカムを掻き寄せ、排出することができるようにしたスカム掻寄装置に関するものである。
【０００２】
【従来の技術】
従来、汚泥掻寄装置（沈砂を対象とする沈砂掻寄装置を含み、本明細書において、単に、「汚泥掻寄装置」という。）は、一般には、図７に示すように、片端に沈降した汚泥を掻き集めて一時貯留する汚泥ピットＰを備えた汚水処理槽１内に、槽底１１及び水面に沿って移動するエンドレス状のチェンＣを張架し、このチェンＣに所定間隔でスクレーパＳを取り付け、モータＭを駆動することにより、チェンＣを循環駆動し、往路側の槽底に摺接する位置にあるスクレーパＳによって、沈降した汚泥を掻き寄せ、汚泥ピットＰ内に集泥するとともに、復路側の水面位置にあるスクレーパＳによって、水面に浮遊するスカムを掻き寄せ、スカムスキマＫを介して排出するようにしている。
なお、汚泥ピットＰ内に集泥された汚泥は、汚泥引抜管２にて汚水処理槽１外に引き抜き、排出するようにしている。
【０００３】
【発明が解決しようとする課題】
ところで、従来の汚泥掻寄装置は、復路側の水面位置にあるスクレーパＳによって、水面に浮遊するスカムを掻き寄せ、スカムスキマＫを介して排出するようにしているため、装置の構造が複雑になるとともに、スクレーパＳに汚泥の掻き寄せとスカムの掻き寄せの２つの異なる機能を併せ持たせる必要があるため、特に、どちらかというと付随的な機能であるスカムの掻き寄せの機能が等閑にされ、スカムの掻き寄せが不十分な事態が生じるという問題があった。
【０００４】
本発明は、上記従来の汚泥掻寄装置におけるスカムの掻き寄せ、排出に関する問題点に鑑み、汚泥掻寄装置の駆動装置を用いてスカム掻寄板を駆動し、確実にスカムを掻き寄せ、排出することができるようにしたスカム掻寄装置を提供することを目的とする。
【０００５】
【課題を解決するための手段】
上記目的を達成するため、本発明のスカム掻寄装置は、汚水処理槽の水面位置を鉛直面内で循環移動するようにエンドレス状の索条に取り付けたスカム掻寄板を、駆動装置により鉛直面内で略矩形運動するようにした下端に汚泥掻寄装置を支持した連結ロッドに取り付けたストライカにより、一方向に循環駆動することにより、汚水処理槽の水面に浮遊するスカムを一方向に掻き寄せるようにしたスカム掻寄装置において、スカム排出用トラフに傾斜した案内板を連設し、スカム掻寄板を案内板に沿って移動させることにより、スカムを案内板上で汚水と分離させながらスカム排出用トラフに向けて掻き上げるようにしたことを特徴とする。
【０００６】
このスカム掻寄装置は、汚泥掻寄装置とは別に、汚水処理槽の水面位置を鉛直面内で循環移動するようにエンドレス状の索条に取り付けたスカム掻寄板からなるスカム掻寄装置を設置するとともに、汚泥掻寄装置の駆動装置の動力を用いて、スカム掻寄板を駆動するようにしているので、簡単な機構の装置で以て、確実にスカムを掻き寄せ、排出することができる。
そして、特に、スカム排出用トラフに傾斜した案内板を連設し、スカム掻寄板を案内板に沿って移動させることにより、スカムを案内板上で汚水と分離させながらスカム排出用トラフに向けて掻き上げるようにすることにより、スカムを、汚水と分離しながらスカム排出用トラフに向けて掻き上げ、排出することができ、スカムと併せて排出する汚水量を低減することができる。
【０００７】
この場合において、駆動装置を、ピンラックを備え、長円形に形成したガイドレールと、ピンラックに噛合し、ガイドレールに沿って周回移動するピンホイルと、該ピンホイルを駆動するモータとより構成することができる。
【０００８】
これにより、簡易な駆動装置により、ストライカを取り付けた連結ロッドを、鉛直面内で略矩形運動するように構成することができる。
【０００９】
【発明の実施の形態】
以下、本発明のスカム掻寄装置の実施の形態を図面に基づいて説明する。
【００１０】
図１〜図４に、本発明のスカム掻寄装置を適用した汚泥沈澱池、沈砂池等の汚水処理槽１を示す。
【００１１】
汚水処理槽１には、その一端側から汚水が導入されるとともに、この汚水供給側の底部に汚泥引抜管１３を有する汚泥ピット１２を備える。
この汚水処理槽１の槽底１１は、好ましくは、汚水処理槽１を清掃する際、汚水が汚泥ピット１２に流入し易いように、汚泥ピット１２側が低くなるように傾斜して形成するようにする。
【００１２】
また、汚水処理槽１には、汚水処理槽１に導入された汚水に含まれるスカム分が分離して浮遊する位置、例えば、汚水処理槽１のほぼ中央付近の水面にスカムスキマ６（又はスカム排出用トラフ７（後述））を配設して、水面に浮遊するスカムを汚水処理槽１外に排出するとともに、スカムスキマ６（又はスカム排出用トラフ７）の後方の水面に複数の流出樋８を配設して、汚泥を沈降分離し、かつスカムを除去した後の汚水を汚水処理槽１外に排出するように構成する。
【００１３】
また、汚水処理槽１には、槽底１１に沈澱した汚泥を掻き寄せ、汚泥ピット１２内に掻き寄せて集泥するようにした汚泥掻寄装置２を、また、汚泥掻寄装置２の上方の水面位置に、水面に浮遊するスカムを掻き寄せるスカム掻寄装置３を、さらに、スカム掻寄装置３より上方位置に、汚泥掻寄装置２を連結ロッド５を介して吊垂支持して所定のストローク長Ｌ２で汚水処理槽１の長手方向に沿って往復移動させる駆動装置４をそれぞれ配設する。
【００１４】
汚泥掻寄装置２は、汚水処理槽１の槽底１１、例えば、汚泥ピット１２とストローク長Ｌ２を除いた槽底１１の長手方向のほぼ全長に亘って、槽底１１の幅方向の両端部に２本の下ビーム２１，２１を平行に配設し、この２本の下ビーム２１，２１間にスクレーパ２２を、図３に示すように、架設して構成する。
【００１５】
この汚泥掻寄装置２の下ビーム２１は、汚泥掻寄装置２の下ビーム２１の前部分を、後部分に対して、屈曲部を介して、揺動可能に配設し、駆動装置４により、前部分のスクレーパ２２が、汚泥掻寄方向に前進移動するときは、槽底１１に接して移動し、反対方向に後退移動するときは、槽底１１から離れて移動するように構成することができる。
この場合、屈曲部は、ピン継手構造、柔軟構造等、任意の屈曲構造を採用することができる。
これにより、沈降する汚泥量が多く、さらに、汚泥掻寄装置２によって掻き寄せられることにより、多量の汚泥が堆積する汚泥掻寄装置２の下ビーム２１の前部分の往復移動を円滑に行うことができ、沈降した汚泥の掻き寄せを、確実に、かつ、安定して行うことができるものとなる。
【００１６】
スクレーパ２２は、２本の下ビーム２１，２１間に、好ましくは、ストローク長Ｌ２と等しいか、ストローク長Ｌ２よりも短い所定の間隔Ｌ１で、略等間隔に平行に架設するとともに、少なくとも汚泥掻寄装置２の後部分に配設するスクレーパ２２は、汚泥掻寄方向、すなわち、汚泥ピット１２に向けて前進移動するときは、汚泥を掻き寄せるように、反対方向に後退移動するときは、沈降した汚泥に潜り込むように、前面及び背面の形状を異ならせて、より具体的には、前面が略鉛直面、背面が傾斜面、底面が槽底１１に沿う断面直角三角形に形成して構成するようにする。
なお、本実施例においては、汚泥掻寄装置２の前部分に配設するスクレーパ２２も、後部分に配設するスクレーパ２２と同様、断面直角三角形に形成するようにしている。
また、スクレーパ２２は、下ビーム２１，２１に固定するようにしたり、あるいは、下ビーム２１，２１に対して若干揺動可能に支持するようにする。スクレーパ２２を、下ビーム２１，２１に対して若干揺動可能に支持するようにすることにより、前進移動するときは、スクレーパ２２の底面を槽底１１に沿って移動させることができ、沈降した汚泥の掻き寄せを、確実に、かつ、安定して行うことができるとともに、後退移動するときは、スクレーパ２２を沈降した汚泥中に確実に潜り込ませることができるものとなる。
また、スクレーパ２２を架設した下ビーム２１，２１が、汚水処理槽１の槽底１１に沿って円滑に往復移動するように、下ビーム２１，２１又はスクレーパ２２の適宜位置に、シュー又はローラを配設することが望ましい。
【００１７】
駆動装置４は、図３〜図４に示すように、汚水処理槽１の中央部より前方、すなわち、汚泥ピット１２側の水面上に設置した本体フレームＦに取り付けるようにする。
この駆動装置４は、略水平に配設した内ガイドレール４１、この内ガイドレール４１の中心に等間隔に突設した多数のピンラック４２及び内ガイドレール４１の外周を囲むように配設した外ガイドレール４３からなるガイドレール４０と、このピンラック４２に噛合して内ガイドレール４１及び外ガイドレール４３に案内されてガイドレール４０に沿って周回移動（略矩形運動）するピンホイル４４と、ピンホイル４４の軸４５に取り付けた原動機４６とで構成する。
【００１８】
内ガイドレール４１は、特に限定されるものではないが、内ガイドレール４１と本体フレームＦ間に取付台４７を介して取り付けるようにし、内ガイドレール４１と本体フレームＦの間に生じる隙間を利用して、ピンラック４２を固定するようにする。
なお、ピンラック４２は、その先端側にピンラック取付板４２Ｐを配設することにより、強固に固定されるようにする。
【００１９】
このようにして、内ガイドレール４１と外ガイドレール４３の間に、図４に示すように、ピンホイル４４のボス部４４Ｂ（必要に応じて、ガイドローラ（図示省略）を配設することができる。）を嵌挿、支持する長円形のガイドレール４０を形成するようにする。
そして、ガイドレール４０の両端部は、ピンホイル４４が周回し易いように、円弧状に形成するとともに、ガイドレール４０の上ガイドレール４０ａと下ガイドレール４０ｂの間隔Ｈ１は、汚泥掻寄装置４の下ビーム４１の前部分４１Ａのスクレーパ４２が、汚泥掻寄方向に前進移動するときは、槽底１１に接して移動し、反対方向に後退移動するときは、槽底１１から離れて移動することができるように設定するようにする。
【００２０】
また、汚水処理槽１の幅方向に対設したガイドレール４０，４０に、それぞれピンホイル４４，４４を嵌挿、支持し、ピンホイル４４，４４のボス部４４Ｂ，４４Ｂ間に軸４５を掛け渡すようにして一体とし、この軸４５を、軸受４８を介して、パイプ状の駆動フレーム４９により支持し、この駆動フレーム４９に原動機４６、例えば、減速機付モータを設置するようにする。
そして、原動機４６を駆動することにより、軸４５を介して、ピンラック４２に噛合するピンホイル４４，４４を回転させることにより、ピンホイル４４，４４を、ガイドレール４０に沿って周回移動するようにして、軸４５及び駆動フレーム４９を介して、汚泥掻寄装置４を往復移動させるようにする。
【００２１】
この場合、駆動装置４と汚泥掻寄装置２とは、図３に示すように、連結ロッド５にて連結するようにする。ここでは、駆動装置４の駆動フレーム４９の両端部に、それぞれの連結ロッド５の上端を、吊り下げるようにして取り付けるとともに、連結ロッド５を汚水処理槽１の長手方向の前後方向にＶ字形にし、下端を、下ビーム２１の前部分に取り付けるようにする。
なお、連結ロッド５の取付部は、ピン連結又はボルト止めとする。
【００２２】
また、汚水処理槽１の水面に浮遊するスカムＳをスカムスキマ６（又はスカム除去用トラフ７）に向けて掻き寄せるためのスカム掻寄装置３は、図５（及び図６）に示すように、汚水処理槽１の水面位置を鉛直面内で循環移動するように、汚水処理槽１の上流側と下流側にそれぞれ配設したスプロケットホイール３１，３２間に張架したエンドレス状のチェン等からなる索条３３にスカム掻寄板３４を、ストローク長Ｌ２よりも短い所定の間隔Ｌ３で、略等間隔に平行に取り付け、このスカム掻寄板３４を、駆動装置４により鉛直面内で略矩形運動するようにした下端に汚泥掻寄装置２を支持した連結ロッド５に取り付けたストライカ５１により、一方向に間欠的に循環駆動させることにより、汚水処理槽１の水面に浮遊するスカムＳを一方向に掻き寄せるように構成する。
【００２３】
この場合において、スカム掻寄装置３は、その往路側、すなわち、汚水処理槽１の上流側から下流側へ移動する方向においては、索条状３３に取り付けられたスカム掻寄板３４の少なくとも下端部分が水中に浸り、水面に浮遊するスカムＳを掻き寄せられるようにし、一方、復路側においては、スカム掻寄板３４は完全に水面より上方に位置するように設置する。
なお、スカム掻寄板３４を取り付けた索条３３は、水面より上方に位置するように配設することが望ましい。
【００２４】
そして、駆動装置４のピンホイル４４が、ガイドレール４０の下ガイドレール４０ｂを移動するとき、連結ロッド５に取り付けたストライカ５１を、水面より上方に位置する復路側のスカム掻寄板３４に当接させて（図５（Ａ））、スカム掻寄板３４を、ストライカ５１が駆動装置４のストローク長Ｌ２の距離移動する間にスカム掻寄板３４の取付間隔Ｌ３だけ移動させることにより（図５（Ｂ））、索条状３３に取り付けられたすべてのスカム掻寄板３４を、一方向に循環駆動させ、これによって、少なくとも下端部分が水中に浸っている往路側のスカム掻寄板３４により、汚水処理槽１の水面に浮遊するスカムＳを一方向、すなわち、スカムスキマ６に向けて掻き寄せるようにする。
次に、駆動装置４のピンホイル４４が、ガイドレール４０の上ガイドレール４０ａを移動するとき、連結ロッド５に取り付けたストライカ５１は、ガイドレール４０の上ガイドレール４０ａと下ガイドレール４０ｂの間隔Ｈ１だけ上昇し、スカム掻寄板３４に当接することなく、当初位置に復帰する（図５（Ｃ））。
なお、スカム掻寄板３４によるスカムＳの掻き寄せ動作とスカムスキマ６の揺動動作とを連動させることができ、これにより、掻き寄せられたスカムＳを、スカムＳと併せて排出する汚水量を低減しながら、確実にスカムスキマ６へ導入することができる。
【００２５】
ところで、図５に示す実施例においては、スカム掻寄板３４を取り付ける索条３３をスプロケットホイール３１，３２間に略水平に張架するようにしたが、これに限定されず、例えば、図６に示す変形例のように、スカムスキマ６に代えてスカム除去用トラフ７を設置した場合には、スカム排出用トラフ７に傾斜した案内板７１を連設し、スカム掻寄板２４を案内板７１に沿って移動させることができるようにスカム掻寄板３４を取り付ける索条３３を、補助スプロケットホイール３５ａ，３５ｂの間、案内板７１と平行に傾斜して張架して、案内板７１に沿って移動するスカム掻寄板２４によって、スカムＳをスカム排出用トラフ７に向けて掻き上げるように構成することができる。
これにより、スカムＳを、汚水と分離しながらスカム排出用トラフ７に向けて掻き上げ、排出することができ、スカムＳと併せて排出する汚水量を低減することができる。
そして、必要に応じて、スカム掻寄板２４によってスカム排出用トラフ７に向けて掻き上げられたスカムＳを、スカム排出用トラフ７内に洗い流す洗浄ノズル９を配設することができる。
なお、図６に示す変形例のその他の構成及び作用は、図５に示す実施例と同様である。
【００２６】
以下、本発明のスカム掻寄装置の作用について説明する。
汚水処理槽１内に流入した汚水は、その下流方向へ流下する時、重力分離が行われて、汚泥分は沈降する。このとき、比重の大きいものは速く沈降するため、比重の大きいものから順次汚水処理槽の上流側から下流側の槽底１１に沈降する。  一方、スカム分は水面に浮遊し、汚泥分、スカム分が分離除去された汚水は、流出樋８から排出される。
槽底１１に沈降する汚泥を、汚泥ピット１２側へ掻き寄せ、集泥する汚泥掻寄装置２及び汚水処理槽１の水面に浮遊するスカムＳをスカムスキマ６（又はスカム除去用トラフ７）に向けて掻き寄せるためのスカム掻寄装置３は、駆動装置４にて駆動されるが、この汚泥掻寄装置２及びスカム掻寄装置３の駆動は、連続的、あるいは汚泥の沈降量に追従して間欠的に行うことができ、これは汚水の流入量、汚泥の沈積量等に応じて適宜選択的に行うことができる。
【００２７】
次に、汚泥掻寄装置２の駆動方法を、図１〜図４に基づいて説明する。
原動機４６を駆動すると、軸４５の端部に固定されたピンホイル４２が回転する。このピンホイル４４は、ピンラック４２に噛合しているので、ピンホイル４４の回転に従って、ピンホイル４４は、ピンラック４２に沿って移動し、内外ガイドレール４１，４３にて形成される扁平ループ状のガイドレール４０に導かれて周回移動するものとなる。
このピンホイル４４には、連結ロッド５を介して、汚泥掻寄装置２、すなわち、スクレーパ２２を配設した下ビーム２１が吊垂支持されているので、ピンホイル４４の移動距離に応じて、汚泥掻寄装置２の下ビーム２１は、汚水処理槽１の長手方向にストローク長Ｌ２だけ移動する。
そして、この汚泥掻寄装置２の前後方向のストローク長Ｌ２を、好ましくは、スクレーパ２２を配設する間隔Ｌ１と等しいか、間隔Ｌ１よりも長く設定することにより、汚泥掻寄装置２が往復移動を繰り返すことにより、槽底１１に沈降した汚泥を、汚泥ピット１２側へ掻き寄せ、集泥することができる。
【００２８】
この場合において、ピンラック４２に噛合して周回移動するピンホイル４４が、ピンラック４２の上側の上ガイドレール４０ａを汚水処理槽１の下流方向へ移動するとき、ピンラック４２の下側の下ガイドレール４０ｂを汚水処理槽１の上流方向へ移動するときと比較して、連結ロッド５は、上ガイドレール４０ａと下ガイドレール４０ｂの間隔Ｈ１だけ引き上げられ、下ビーム２１の先端側は、槽底１１から持ち上げられてスクレーパ２２は後退するようになり、槽底１１に沈降した汚泥は、下流方向への掻き寄せられず、逆方向に移動しないものとなる。
さらに、汚泥掻寄装置２の下ビーム２１の前部分を、後部分に対して、屈曲部を介して、揺動可能に配設し、駆動装置４により、前部分のスクレーパ２２が、汚泥掻寄方向に前進移動するときは、槽底１１に接して移動し、反対方向に後退移動するときは、槽底１１から離れて移動するように構成することにより、沈降する汚泥量が多く、さらに、汚泥掻寄装置２によって掻き寄せられることにより、多量の汚泥が堆積する汚泥掻寄装置２の下ビーム２１の前部分の往復移動を円滑に行うことができ、沈降した汚泥の掻き寄せを、確実に、かつ、安定して行うことができるものとなる。
【００２９】
さらに、スクレーパ２２は、前面及び背面の形状を異ならせて、より具体的には、前面が略鉛直面、背面が傾斜面、底面が槽底１１に沿う断面直角三角形に形成して構成されているため、汚泥掻寄装置２の下ビーム２１に配設したスクレーパ２２が、汚泥掻寄方向に前進移動するときは、汚泥を掻き寄せるように、反対方向に後退移動するときは、沈降した汚泥に潜り込むようにすることができ、沈降した汚泥の掻き寄せを、確実に、かつ、安定して行うことができるものとなる。
【００３０】
また、駆動装置４を、汚泥掻寄装置２が汚泥掻寄方向に前進移動するときは低速で、反対方向に後退移動するときは高速で、例えば、掻寄対象が下水汚泥の場合には、前進移動するときは、０．５ｍ／ｍｉｎ程度で、後退移動するときは、１．５ｍ／ｍｉｎ程度で移動するように構成することが好ましく、これにより、汚泥掻寄装置２の下ビーム２１に配設したスクレーパ２２により、沈降した汚泥の掻き寄せを、確実に、かつ、安定して行うことができるとともに、スクレーパ２２を沈降した汚泥中に確実に潜り込ませることができるものとなる。
なお、この速度制御は、特に限定されるものではないが、駆動装置４のピンホイル４４の位置や原動機４６の負荷を検知し、これに基づいて、原動機４６の回転数を所定の値に制御することにより行うことができる。
【００３１】
次に、スカム掻寄装置３の駆動方法を、図５及び図６に基づいて説明する。
また、駆動装置４によって鉛直面内で略矩形運動するようにされた下端に汚泥掻寄機を支持した連結ロッド５に取り付けたストライカ５１を、水面より上方に位置する復路側のスカム掻寄板３４に当接させて、スカム掻寄板３４を、ストライカ５１が駆動装置４のストローク長Ｌ２の距離移動する間にスカム掻寄板３４の取付間隔Ｌ３だけ移動させることにより、索条状３３に取り付けられたすべてのスカム掻寄板３４を、一方向に循環駆動させ、これによって、少なくとも下端部分が水中に浸っている往路側のスカム掻寄板３４により、汚水処理槽１の水面に浮遊するスカムＳを一方向、すなわち、スカムスキマ６又はスカム排出用トラフ７に向けて掻き寄せ、掻き寄せたスカムＳを、スカムスキマ６又はスカム排出用トラフ７を介して、汚水処理槽１から排出する。
【００３２】
そして、このようにして、汚泥分、スカム分が分離除去された汚水は、汚水処理槽１のスカムスキマ６又はスカム排出用トラフ７を設置した位置よりも下流側の水面位置に設置した流出樋８から排出される。
【００３３】
【発明の効果】
本発明のスカム掻寄装置によれば、汚泥掻寄装置とは別に、汚水処理槽の水面位置を鉛直面内で循環移動するようにエンドレス状の索条に取り付けたスカム掻寄板からなるスカム掻寄装置を設置するとともに、汚泥掻寄装置の駆動装置の動力を用いて、スカム掻寄板を駆動するようにしているので、簡単な機構の装置で以て、確実にスカムを掻き寄せ、排出することができ、スカム掻寄装置の構築コスト及び維持コストを低減することができる。
そして、特に、スカム排出用トラフに傾斜した案内板を連設し、スカム掻寄板を案内板に沿って移動させることにより、スカムを案内板上で汚水と分離させながらスカム排出用トラフに向けて掻き上げるようにすることにより、スカムを、汚水と分離しながらスカム排出用トラフに向けて掻き上げ、排出することができ、スカムと併せて排出する汚水量を低減することができる。
【００３４】
また、駆動装置を、ピンラックを備え、長円形に形成したガイドレールと、ピンラックに噛合し、ガイドレールに沿って周回移動するピンホイルと、該ピンホイルを駆動するモータとより構成することにより、簡易な駆動装置により、ストライカを取り付けた連結ロッドを、鉛直面内で略矩形運動するように構成することができる。
【図面の簡単な説明】
【図１】  本発明のスカム掻寄装置の実施の形態を示し、（Ａ）は平面図、（Ｂ）は正面図である。
【図２】  本発明のスカム掻寄装置を適用した汚水処理槽の全形を示し、（Ａ）は平面図、（Ｂ）は正面図である。
【図３】  ガイドレールとピンホイルとの関係を示す側面図である。
【図４】  ガイドレールの正面図である。
【図５】  本発明のスカム掻寄装置の動作説明図（模式図）で、（Ａ）はスカム掻き寄せ時の説明図、（Ｂ）はスカム掻き寄せ終了時の説明図、（Ｃ）は復帰時の説明図である。
【図６】  本発明のスカム掻寄装置の変形例を示す説明図（模式図）である。
【図７】  従来の汚泥掻寄装置を示し、（Ａ）は平面図、（Ｂ）は正面図である。
【符号の説明】
１    汚水処理槽
１１  槽底
２    汚泥掻寄装置
３    スカム掻寄装置
３３  索条
３４  スカム掻寄板
４    駆動装置
４０  ガイドレール
４１  内ガイドレール
４２  ピンラック
４３  外ガイドレール
４４  ピンホイル
４５  軸
４６  モータ
５    連結ロッド
５１  ストライカ
６    スカムスキマ
７    スカム排出用トラフ
７１  案内板
Ｓ    スカム
【図１】
0004240346.tif 000002
【図２】
0004240346.tif 000003
【図３】
0004240346.tif 000004
【図４】
0004240346.tif 000005
【図５】
0004240346.tif 000006
【図６】
0004240346.tif 000007
【図７】
0004240346.tif 000008